(57)【特許請求の範囲】
【請求項１】
ユーザの頭部側部に位置するように、ユーザの頭部に装着される装着部に対して取り付けられ、画像信号に応じて画像光を出射する出射装置と、
前記装着部と別体に構成され、外部に露呈した状態でユーザの一方の眼の前方に位置し、ユーザの視線方向に対して斜めになるように、前記出射装置にユーザの眼に遠い外端部が取付けられ、前記出射装置から出射された前記画像光をユーザの眼に向かって反射させるハーフミラーと、
を備え、前記ハーフミラーに光を反射させることによって画像を表示する画像表示装置において、
ユーザの両方の眼用に前記出射装置と前記ハーフミラーとが設けられ、
前記ハーフミラーにおけるユーザの眼に近い内端部に、ユーザの眼を保護するための保護部が設けられ、
前記保護部は、各前記ハーフミラーの間を接続するように、各前記ハーフミラーと一体に形成され、ユーザの鼻によって支持される支持部が形成されている、
ことを特徴とする画像表示装置。
【請求項２】
前記保護部のユーザ側の面は、ユーザに対して平行な面であることを特徴とする請求項１に記載の画像表示装置。
【請求項３】
請求項１又は２に記載の画像表示装置であって、画像信号に応じて変調された光を走査させて前記ハーフミラーに対して出射させることで、ユーザの少なくとも一方の眼の網膜に画像を投影表示することを特徴とする網膜走査型画像表示装置。
【請求項４】
ユーザに装着される装着部に取り付けられることでユーザの頭部側部に位置し、画像信号に応じて画像光を出射し、ユーザの両方の眼に対応して設けられる出射装置に夫々取付けられており、ユーザの一方の眼の前方において、ユーザの視線方向に対して斜めになるように、外部に露呈した状態で前記出射装置にユーザの眼に遠い外端部が取付けられ、前記出射装置から出射された前記画像光をユーザの眼に向かって反射させるハーフミラーにおいて、
ユーザの眼を保護し、ユーザの鼻によって支持される支持部が形成される保護部を、各前記ハーフミラーの間を接続するように、各前記ハーフミラーと一体に形成したことを特徴とするハーフミラー。
【発明の詳細な説明】
【技術分野】
【０００１】
本発明は、画像表示装置、網膜走査型画像表示装置及びハーフミラーに関するものであり、特に、ユーザの一方の眼の前方にハーフミラーが設けられた画像表示装置、網膜走査型画像表示装置及びハーフミラーに関する。
【背景技術】
【０００２】
従来、画像を表示するための画像表示装置には、画像に関する画像信号に応じて出射される画像光や、外界からの外光などによって、画像を表示させるとともに、外界の様子を視認可能とする装置がある。
【０００３】
このような画像表示装置においては、例えば、特許文献１に示すように、出射された画像光が、鏡によって反射され、レンズ、眼鏡レンズを介して、ユーザの眼に導かれる装置が開示されている。また、この鏡によって反射された画像光は、レンズ、眼鏡レンズに導かれるが、外界の外光がこのレンズを介することなく、眼鏡レンズを介して、ユーザの眼に導かれることとなる。
【０００４】
また、このような特許文献１に示す画像表示装置とは異なり、図１１に示すように、画像に関する画像信号に応じて装置９０２から出射される画像光Ｚ２を反射させるとともに、外界からの外光Ｚ１を透過させるハーフミラー９０４などが含まれ、それら外光Ｚ１、画像光Ｚ２をユーザの眼の網膜に導き、画像を表示させる画像表示装置９００がある。特に、このハーフミラー９０４は、上述した装置９０２から出射される画像光Ｚ２を反射させるとともに、外界からの外光Ｚ１を透過させるため、ユーザ９０６の少なくとも一方の眼の前方に配設され、更には、ユーザの側方などに配設された装置９０２からの画像光Ｚ２を反射させるために、ユーザ９０６に対して斜め向きに配設されている。また、図１１に示す画像表示装置９００は、特許文献１に示す画像表示装置とは異なり、画像信号に応じた画像や外界の様子が同じ領域上で視認可能となる。また、図１２に示すように、眼鏡を掛けることなく装着可能な画像表示装置９１０もあり、片耳と鼻とで装置９０２を支持させることができる。
【特許文献１】特表２００１−５２２０６４号公報
【発明の開示】
【発明が解決しようとする課題】
【０００５】
しかしながら、上述したような画像表示装置では、ハーフミラー９０４が、ユーザの眼の前方に、更には、ユーザに対して斜めに配設されているため、ハーフミラー９０４の端部９０４ａが、眼鏡のレンズや（図１１参照）ユーザの眼（図１２参照）に向かっていることとなり、ユーザの眼や眼鏡のレンズに対する安全を施すことが望まれている。
【０００６】
本発明は、上述したような課題に鑑みてなされたものであり、ユーザの眼や眼鏡のレンズに対する安全性を向上させることができる画像表示装置、網膜走査型画像表示装置及びハーフミラーを提供することを目的とする。
【課題を解決するための手段】
【０００７】
以上のような目的を達成するために、本発明は、以下のようなものを提供する。
【０００８】
すなわち、請求項１記載の本発明では、ユーザの頭部側部に位置するように、ユーザの頭部に装着される装着部に対して取り付けられ、画像信号に応じて画像光を出射する出射装置と、前記装着部と別体に構成され、外部に露呈した状態でユーザの一方の眼の前方に位置し、ユーザの視線方向に対して斜めになるように、前記出射装置にユーザの眼に遠い外端部が取付けられ、前記出射装置から出射された前記画像光をユーザの眼に向かって反射させるハーフミラーと、を備え、前記ハーフミラーに光を反射させることによって画像を表示する画像表示装置において、ユーザの両方の眼用に前記出射装置と前記ハーフミラーとが設けられ、前記ハーフミラーにおけるユーザの眼に近い内端部に、ユーザの眼を保護するための保護部が設けられ、前記保護部は、各前記ハーフミラーの間を接続するように、各前記ハーフミラーと一体に形成され、ユーザの鼻によって支持される支持部が形成されていることとした。
【００１３】
また、請求項２記載の本発明では、請求項１に記載の画像表示装置において、前記保護部のユーザ側の面は、ユーザに対して平行な面であることを特徴とする。
【００１４】
また、請求項３記載の本発明では、請求項１又は２に記載の画像表示装置であって、画像信号に応じて変調された光を走査させて前記ハーフミラーに対して出射させることで、ユーザの少なくとも一方の眼の網膜に画像を投影表示する網膜走査型画像表示装置とした。
【００１５】
また、請求項４記載の本発明では、ユーザに装着される装着部に取り付けられることでユーザの頭部側部に位置し、画像信号に応じて画像光を出射し、ユーザの両方の眼に対応して設けられる出射装置に夫々取付けられており、ユーザの一方の眼の前方において、ユーザの視線方向に対して斜めになるように、外部に露呈した状態で前記出射装置にユーザの眼に遠い外端部が取付けられ、前記出射装置から出射された前記画像光をユーザの眼に向かって反射させるハーフミラーにおいて、ユーザの眼を保護し、ユーザの鼻によって支持される支持部が形成される保護部を、各前記ハーフミラーの間を接続するように、各前記ハーフミラーと一体に形成したことを特徴とするハーフミラーとした。
【発明の効果】
【００１７】
請求項１、３又は４に記載の発明によれば、ユーザの一方の眼の前方に、ユーザに対して斜めに設けられたハーフミラーにおけるユーザの眼に近い内端部に、ユーザの眼を保護するための保護部が設けられたため、ハーフミラーの端部によるユーザの眼や眼鏡のレンズに対する危険を除去することによって、ユーザの眼に対する安全性を向上させることができる。もちろん、ハーフミラーに対する恐怖心を取り除くこともできる。
また、保護部には、ユーザの鼻によって支持される支持部が形成された。従って、保護部とは別の過度な支持部材が必要なく、保護部に形成された支持部によって保護部、ハーフミラーを支持することができる。また、保護部とは別の支持部材とともに用いることによって、安定性を向上させることができる。
さらに、ユーザの両方の眼用に前記出射装置と前記ハーフミラーとが設けられ、前記保護部は、各前記ハーフミラーの間を接続するように、各前記ハーフミラーと一体に形成されている。従って、ユーザの両方の眼で画像を視認可能とすることができる。また、ユーザの眼に対する安全性を向上させるとともに、組み立てが容易にすることができ、部品点数を減少させることができる。
【００２３】
また、請求項２に記載の発明によれば、保護部のユーザ側の面は、ユーザに対して平行な面である。従って、容易な加工によって、ユーザの眼に対する危険を除去し、ユーザの眼に対する安全性を向上させることができる。もちろん、ハーフミラーに対する恐怖心を取り除くこともできる。
【発明を実施するための最良の形態】
【００２４】
以下に、本発明に好適な実施形態について図面に基づいて説明する。
【００２５】
［画像表示装置の構成］
以下、本発明に係る画像表示装置及び網膜走査型画像表示装置の一実施の形態について図面を用いて説明する。まず、本発明に係る画像表示装置の一例である網膜走査型ディスプレイ１の構成について図１及び図２を用いて説明する。
【００２６】
網膜走査型ディスプレイ１は、画像に関する画像信号に応じて変調されたビーム光（以降、画像光Ｚ２（図２参照）と称することもある）を走査させて出射させることで、ユーザ５０（観察者）の少なくとも一方の眼の網膜に画像を投影し、画像を表示する（投影表示する）装置である。この網膜走査型ディスプレイ１は、図１に示すように、画像に関する画像信号に応じて画像光Ｚ２を出射する出射装置１００と、その出射装置１００から出射された画像光Ｚ２をユーザ５０の眼に向かって反射させるハーフミラー１５０とを含む構成である。つまり、網膜走査型ディスプレイ１は、画像に関する画像信号に応じて変調された光を走査させてハーフミラー１５０に対して出射させ、ハーフミラー１５０に光を反射させることによって、ユーザの少なくとも一方の眼の網膜に画像を投影し、画像を表示する装置である。また、この網膜走査型ディスプレイ１は、ユーザ５０に対して装着可能である。また、網膜走査型ディスプレイ１は、水平方向に装着される。
【００２７】
尚、本実施形態においては、網膜走査型ディスプレイ１を眼鏡２００に直接装着させるが、ユーザ５０が網膜走査型ディスプレイ１を装着可能であればこれに限らず、どのような構成であってもよい。例えば、眼鏡２００を装着しないようにしてもよい。
【００２８】
詳しくは後述するが、出射装置１００は、画像に関する画像信号に応じて変調された画像光Ｚ２を走査させてハーフミラー１５０に対して出射させる。また、ハーフミラー１５０は、出射装置１００に固定され、その出射装置１００から出射された画像光Ｚ２をユーザ５０の眼に向かって反射させる。このハーフミラー１５０は、外界からの外光Ｚ１を透過させ、ユーザ５０の眼に導く。
【００２９】
上述したような出射装置１００は、図２に示すように、出射装置１００を支持するための支持部１３０を有している。この支持部１３０は、眼鏡２００の蔓２０４Ｌに固定されることによって、出射装置１００が眼鏡２００に装着される。
【００３０】
また、出射装置１００は、ユーザ５０の側方からハーフミラー１５０に向かって画像光Ｚ２を出射する。従って、画像光Ｚ２や外光Ｚ１の干渉を防止することができる。もちろん、ユーザ５０の動作を制限させる機会が少なく、出射装置１００を配設することができる。
【００３１】
上述したようなハーフミラー１５０は、眼鏡２００のレンズ２０２Ｌに対してユーザ５０と逆側（外側２１２）に配設されている。ハーフミラー１５０は、ユーザ５０の側方から入射された画像光Ｚ２をユーザ５０の眼に向かって反射させるとともに、外界からの外光Ｚ１をユーザ５０の眼に入射させる光学系であり、実際の視界はもちろんのこと、出射装置１００から出射された画像光Ｚ２に基づく画像が視認可能となる。
【００３２】
このハーフミラー１５０は、出射装置１００に固定するための固定部１５２と、固定部１５２と一体に形成されたハーフミラー部１５４と、固定部１５２及びハーフミラー部１５４と一体に形成された保護部１５６とで構成されている。
【００３３】
上述した固定部１５２は、ハーフミラー１５０を出射装置１００に固定するために形成されており、出射装置１００から出射される画像光Ｚ２を干渉しない形状である。また、固定部１５２は、後述するハーフミラー部１５４及び保護部１５６と一体に形成されている。
【００３４】
上述したハーフミラー部１５４は、ユーザ５０の一方の眼（左眼）の前方に設けられている。このハーフミラー部１５４は、外界からの外光Ｚ１を透過させるとともに、出射装置１００から出射された画像光Ｚ２をユーザ５０の眼に向かって反射させる。また、上述した出射装置１００がユーザ５０の側方に配設されているため、このハーフミラー部１５４は、ユーザ５０に対して斜めに配設されている。このため、ユーザ５０の内側方となるハーフミラー部１５４の内端部１５４ａが、ユーザ５０の眼に近い端部となり、ユーザ５０の外側方となるハーフミラー部１５４の外端部１５４ｂが、ユーザ５０の眼に遠い端部となる。尚、ハーフミラー部１５４の内端部１５４ａには、後述する保護部１５６が一体に形成されており、ハーフミラー部１５４の外端部１５４ｂには、上述した固定部１５２が一体に形成されている。このハーフミラー部１５４は、その画像光Ｚ２が反射されることによって画像をユーザ５０に視認可能とさせることとなる。
【００３５】
上述した保護部１５６は、ハーフミラー部１５４の内端部１５４ａに、ユーザ５０の眼を保護するために設けられている。この保護部１５６は、ハーフミラー部１５４と一体に形成されている。この保護部１５６のユーザ５０側の面は、ユーザに対して平行な面となっている。尚、本実施形態における保護部１５６は、ユーザ５０の鼻に届かない長さとなっている。
【００３６】
このように、ユーザ５０の一方の眼の前方に、ユーザ５０に対して斜めに設けられたハーフミラー部１５４の内端部１５４ａに、ユーザ５０の眼を保護するための保護部１５６が設けられた。従って、ハーフミラー部１５４の内端部１５４ａによるユーザ５０の眼や眼鏡のレンズに対する危険を除去することによって、ユーザ５０の眼に対する安全性を向上させることができる。もちろん、ハーフミラー部１５４に対する恐怖心を取り除くこともできる。
【００３７】
また、保護部１５６がハーフミラー部１５４におけるユーザ５０の眼に近い内端部１５４ａに設けられたため、ユーザ５０の眼に近いハーフミラー部１５４の内端部１５４ａによるユーザ５０の眼や眼鏡のレンズに対する危険を除去することによって、ユーザ５０の眼に対する安全性を向上させることができる。もちろん、ハーフミラー部１５４に対する恐怖心を取り除くこともできる。
【００３８】
また、保護部１５６のユーザ５０側の面は、ユーザに対して平行な面であるため、容易な加工によって、ユーザ５０の眼に対する危険を除去し、ユーザ５０の眼に対する安全性を向上させることができる。もちろん、ハーフミラー部１５４に対する恐怖心を取り除くこともできる。
【００３９】
また、保護部１５６は、ハーフミラー部１５４と一体に形成されているため、ユーザ５０の眼に対する安全性を向上させるとともに、組み立てが容易にすることができ、部品点数を減少させることができる。
【００４０】
［画像表示装置の電気的構成］
本実施形態における網膜走査型ディスプレイ１の電気的構成、主に出射装置１００の電気的構成などについて図３を用いて説明する。
【００４１】
図３に示すように、網膜走査型ディスプレイ１には、出射装置１００と、ハーフミラー１５０とが含まれている。また、出射装置１００には、外部から供給される映像信号を処理するための光源ユニット部２が設けられている。光源ユニット部２には、外部からの映像信号が入力され、それに基づいて映像を合成するための要素となる各信号を発生する映像信号供給回路３が設けられ、この映像信号供給回路３から映像信号４、水平同期信号５、及び、垂直同期信号６が出力される。また、光源ユニット部２には、映像信号供給回路３から映像信号４として伝達される赤（Ｒ），緑（Ｇ），青（Ｂ）の各映像信号をもとにそれぞれ強度変調されたレーザ光を出射するように、Ｒレーザ１３，Ｇレーザ１２，Ｂレーザ１１を、それぞれ駆動するためのＲレーザドライバ１０，Ｇレーザドライバ９，Ｂレーザドライバ８が設けられている。さらに、各レーザより出射されたレーザ光を平行光にコリメートするように設けられたコリメート光学系１４と、それぞれコリメートされたレーザ光を合波するダイクロイックミラー１５と、合波されたレーザ光を光ファイバ１７に導く結合光学系１６とが設けられている。尚、Ｒレーザ１３，Ｇレーザ１２，Ｂレーザ１１として、レーザダイオード等の半導体レーザや固体レーザを利用してもよい。尚、本実施形態における光源ユニット部２は、少なくとも１つの光源と、当該光源から出射されるビーム光（光束）を画像信号に応じて強度変調する変調手段の一例に相当する。
【００４２】
また、網膜走査型ディスプレイ１の出射装置１００には、光源ユニット部２から伝搬されたレーザ光を水平走査系１９に導く第１リレー光学系１８と、コリメートされたレーザ光を、ガルバノミラー１９ａを利用して水平方向に走査する水平走査系１９と、水平走査系１９によって走査されたレーザ光を垂直走査系２１に導く第２リレー光学系２０と、水平走査系１９に走査され、第２リレー光学系２０を介して入射されたレーザ光を、ガルバノミラー２１ａを利用して垂直方向に走査する垂直走査系２１と、垂直走査系２１に走査されたレーザ光をユーザの瞳孔２４に入射するように第３リレー光学系２２とが設けられている。第２リレー光学系２０は、水平走査系１９のガルバノミラー１９ａと、垂直走査系２１のガルバノミラー２１ａとが共役となるように、また、第３リレー光学系２２は、ガルバノミラー２１ａと、ユーザの瞳孔２４とが共役となるように、各々設けられている。
【００４３】
また、ハーフミラー１５０は、第３リレー光学系２２とユーザの瞳孔２４との間に配置され、出射装置１００から出射された画像光Ｚ２を、全反射させるなどして、ユーザの瞳孔２４に導くこととなる。
【００４４】
尚、具体的な一例としては、水平走査系１９は、表示すべき画像の１走査線ごとに、レーザビームを水平方向に水平走査（１次走査の一例）させる光学系である。また、水平走査系１９は、レーザビームを水平方向に走査するガルバノミラー１９ａと、そのガルバノミラー１９ａの駆動制御を行う水平走査制御回路１９ｃとを備えている。
【００４５】
これに対し、垂直走査系２１は、表示すべき画像の１フレームごとに、レーザビームを最初の走査線から最後の走査線に向かって垂直に垂直走査（２次走査の一例）する光学系である。また、垂直走査系２１は、垂直走査するガルバノミラー２１ａと、そのガルバノミラー２１ａの駆動制御を行う垂直走査制御回路２１ｃとを備えている。
【００４６】
水平走査系１９は、垂直走査系２１より高速にすなわち高周波数でレーザビームを走査するように設計されている。また、水平走査系１９，垂直走査系２１は、図３に示すように、各々映像信号供給回路３に接続され、映像信号供給回路３より出力される水平同期信号５，垂直同期信号６にそれぞれ同期してレーザ光を走査するように構成されている。
【００４７】
尚、本実施形態における水平走査系１９及び垂直走査系２１などは、入射したビーム光を、１次方向及びその１次方向に略垂直な２次方向に走査させることによって、フレームを形成する光走査装置の一例である。また、本実施形態における水平走査系１９は、入射されるビーム光を水平方向に走査させる１次走査手段の一例に相当し、本実施形態における垂直走査系２１は、その水平方向に走査されたビーム光を、垂直方向に走査させる２次走査手段の一例に相当する。
【００４８】
次に、本発明の一実施形態の網膜走査型ディスプレイ１が、外部からの映像信号を受けてから、ユーザの網膜上に映像を投影するまでの過程について図３を用いて説明する。
【００４９】
図３に示すように、本実施形態の網膜走査型ディスプレイ１では、光源ユニット部２に設けられた映像信号供給回路３が外部からの映像信号の供給を受けると、映像信号供給回路３は、赤，緑，青の各色のレーザ光を出力させるためのＲ映像信号，Ｇ映像信号，Ｂ映像信号からなる映像信号４と、水平同期信号５と、垂直同期信号６とを出力する。Ｒレーザドライバ１０，Ｇレーザドライバ９，Ｂレーザドライバ８は各々入力されたＲ映像信号，Ｇ映像信号，Ｂ映像信号に基づいてＲレーザ１３，Ｇレーザ１２，Ｂレーザ１１に対してそれぞれの駆動信号を出力する。この駆動信号に基づいて、Ｒレーザ１３，Ｇレーザ１２，Ｂレーザ１１はそれぞれ強度変調されたレーザ光を発生し、各々をコリメート光学系１４に出力する。また、映像信号供給回路３は、後述するガルバノミラー１９ａの駆動状態を示すＢＤ信号（図示せず）に応じて、レーザ光を発生し、各々をコリメート光学系１４に出力するタイミングを制御する。つまり、このような網膜走査型ディスプレイ１（映像信号供給回路３）は、ガルバノミラー１９ａなどにビーム光を出射させるタイミングを制御することとなる。点光源から発生されるレーザ光は、このコリメート光学系１４によってそれぞれが平行光にコリメートされ、さらに、ダイクロイックミラー１５に入射されて１つのビーム光となるよう合成された後、結合光学系１６によって光ファイバ１７に入射されるよう導かれる。
【００５０】
光ファイバ１７によって伝搬されたレーザ光は、光ファイバ１７から第１リレー光学系１８によって導かれて水平走査系１９に出射される。この出射されたレーザ光は、水平走査系１９のガルバノミラー１９ａの偏向面１９ｂに入射される。ガルバノミラー１９ａの偏向面１９ｂに入射したレーザ光は水平同期信号に同期して水平方向に走査されて第２リレー光学系２０を介し、垂直走査系２１のガルバノミラー２１ａの偏向面２１ｂに入射する。第２リレー光学系２０ではガルバノミラー１９ａの偏向面１９ｂとガルバノミラー２１ａの偏向面２１ｂとが共役の関係となるように調整され、また、ガルバノミラー１９ａの面倒れが補正されている。ガルバノミラー２１ａは、ガルバノミラー１９ａが水平同期信号に同期することと同様に垂直同期信号６に同期して、その偏向面２１ｂが入射光を垂直方向に反射するように往復振動をしており、このガルバノミラー２１ａによってレーザ光は垂直方向に走査される。水平走査系１９及び垂直走査系２１によって垂直方向及び水平方向に２次元に走査されたレーザ光は、ガルバノミラー２１ａの偏向面２１ｂと、ユーザの瞳孔２４とが共役の関係となるように設けられた第３リレー光学系２２、ハーフミラー１５０によりユーザの瞳孔２４へ入射され、網膜上に投影される。ユーザはこのように２次元走査されて網膜上に投影されたレーザ光による画像を認識することができる。尚、水平走査系１９のガルバノミラー１９ａと、垂直走査系２１のガルバノミラー２１ａとは、名称を同じように説明したが、光を走査するように其の反射面が揺動（回転）させられるものであれば、共振タイプ、非共振タイプ等、圧電駆動、電磁駆動、静電駆動等いずれの駆動方式によるものであってもよいことは言うまでもない。
【００５１】
［第２の実施形態］
尚、上述した実施形態においては、ハーフミラー部１５４がユーザ５０の一方の眼の前方に設けられ、保護部１５６が、ユーザ５０の鼻に届かない長さとなっていたが、これに限らず、例えば、ハーフミラー部１５４がユーザ５０の一方の眼の前方だけでなく、保護部１５６がユーザ５０の鼻を越えてユーザ５０の他方の眼の前方にも配設されるように構成してもよい。具体的には、図４及び図５を用いて以下に第２の実施形態として説明する。尚、発明の理解を容易とするために、上述した実施形態と同じような構成については説明を省略する。
【００５２】
図４に示すように、網膜走査型ディスプレイ９０におけるハーフミラー１６０は、ユーザ５０の一方の眼から、ユーザ５０の鼻を越えて、ユーザ５０の他方の眼の前方まで延びるように配設されている。つまり、ハーフミラー１６０は、ユーザ５０の両方の眼の前方に配設されている。また、このハーフミラー１６０には、ハーフミラー１６０などがユーザ５０の鼻によって支持される支持部１５８が形成されている。
【００５３】
また、図５に示すように、保護部１６２は、ユーザ５０の一方の眼の前方に設けられたハーフミラー部１５４の内端部１５４ａから、ユーザ５０の鼻を越えて、少なくともユーザ５０の他方の眼の前方まで延びて形成されている。従って、ハーフミラー部１５４の内端部１５４ａや保護部１６２などによるユーザ５０の他方の眼や眼鏡のレンズに対する危険を除去することによって、ユーザ５０の眼に対する安全性を向上させることができる。もちろん、ハーフミラー１６０に対する恐怖心を取り除くこともできる。
【００５４】
また、保護部１６２には、ユーザ５０の鼻によって支持される支持部１５８が形成されている。従って、保護部１６２とは別の過度な支持部材が必要なく、保護部１６２に形成された支持部１５８によって保護部１６２、ハーフミラー部１５４などを支持することができる。また、保護部１６２とは別の支持部材とともに支持部１５８を用いることによって、安定性を向上させることができる。
【００５５】
［第３の実施形態］
更にまた、上述した実施形態においては、ユーザ５０の左眼のみに画像光に基づく画像を表示させたが、これに限らず、例えば、ユーザ５０の右眼のみに画像光に基づく画像を表示させてもよい。もちろん、ユーザ５０の両眼に画像光に基づく画像を表示させてもよい。具体的には、図６及び図７を用いて以下に第３の実施形態として説明する。尚、発明の理解を容易とするために、上述した第１の実施形態と同じような構成については説明を省略する。
【００５６】
図６に示すように、網膜走査型ディスプレイ９２は、ユーザ５０の一方の眼（左眼）用の出射装置１００、ハーフミラー１５０と、ユーザ５０の他方の眼（右眼）用の出射装置１０１、ハーフミラー１５１と、を備えている。つまり、網膜走査型ディスプレイ９２は、ユーザ５０の一方の眼（左眼）の前方にもハーフミラー１５０が設けられるとともに、
ユーザ５０の他方の眼（右眼）の前方にもハーフミラー１５１が設けられている。
【００５７】
図７に示すように、ユーザ５０の一方の眼（左眼）用の出射装置１００、ハーフミラー１５０と左右対称な位置及び形状で、ユーザ５０の他方の眼（右眼）用の出射装置１０１、ハーフミラー１５１と、が配設されている。ハーフミラー１５１は、ハーフミラー１５０における固定部１５２、ハーフミラー部１５４、保護部１５６と同じように、固定部１５３、ハーフミラー部１５５、保護部１５７を備えている。
【００５８】
このように、ユーザ５０の他方の眼（右眼）の前方にもハーフミラー１５１が設けられることによって、ユーザの両方の眼で画像を視認可能とすることができる。
【００５９】
［第４の実施形態］
更にまた、例えば、ユーザ５０の両眼に画像光に基づく画像を表示させるとともに、保護部がユーザ５０の鼻を越えてユーザ５０の他方の眼の前方にも配設されるように構成してもよい。具体的には、図８及び図９を用いて以下に第４の実施形態として説明する。尚、発明の理解を容易とするために、上述した第２の実施形態、第３の実施形態と同じような構成については説明を省略する。
【００６０】
図８に示すように、網膜走査型ディスプレイ９４は、ユーザ５０の一方の眼（左眼）用の出射装置１００と、ユーザ５０の他方の眼（右眼）用の出射装置１０１と、ユーザ５０の両方の眼用のハーフミラー１７０と、を備えている。
【００６１】
図９に示すように、ハーフミラー１７０は、第３の実施形態におけるユーザ５０の一方の眼（左眼）用のハーフミラー１５０と、ユーザ５０の他方の眼（右眼）用のハーフミラー１５１と、を一体に形成したような形状である。つまり、ハーフミラー１７０は、ユーザ５０の一方の眼（左眼）の前方以外にも、ユーザ５０の他方の眼（右眼）の前方にも設けられており、複数のハーフミラー部１５４、１５５が保護部１５９とともに一体に形成されている。従って、ユーザ５０の両方の眼で画像を視認可能とすることができる。また、ユーザ５０の眼に対する安全性を向上させるとともに、組み立てが容易にすることができ、部品点数を減少させることができる。
【００６２】
また、保護部１５９には、ハーフミラー１７０をユーザ５０の鼻によって支持する支持部１５８が形成されているため、保護部１５９とは別の過度な支持部材が必要なく、保護部１５９に形成された支持部１５８によって保護部１５９、ハーフミラー部１５４、１５５を支持することができる。また、保護部１５９とは別の支持部材とともに支持部１５８が用いることによって、安定性を向上させることができる。
【００６３】
［その他の実施形態］
また、上述した実施形態においては、ハーフミラー部１５４、１５５の内端部１５４ａ、１５５ａに、保護部１５６，１５７，１５９，１６２を一体に形成したが、これに限らず、例えば、ハーフミラー部の内端部などがユーザ５０の目に遠く、ハーフミラー部の外端部などがユーザ５０の目に近い場合には、ハーフミラー部の外端部に、保護部を形成してもよい。また、ハーフミラー部の端部（内端部又は外端部）に保護部を一体に形成したが、これに限らず、例えば、ハーフミラー部を、保護部と一体に形成せずに、着脱可能にしてもよい。また、例えば、保護部の少なくとも一方が着脱可能であり、他方が着脱不可能に固定されていてもよい。また、支持部が鼻で支持され、出射装置が着脱可能に配設されているため、画像光に基づく画像を、一方の眼（左眼又は右眼）で視認する場合や、両方の眼（左眼及び右眼）で視認する場合など、ユーザの所望とする画像表示装置を容易に構成することができ、簡便である。また、保護部１５６，１５７，１５９，１６２は、樹脂やゴムなどで形成されており、光透過性（有色、透明も含む）を有するが、これに限らず、例えば、樹脂やゴムでなくてもよく、更には、光透過性を有さなくてもよい。
【００６４】
更にまた、上述した実施形態においては、出射装置１００、ハーフミラー１５０，１５１，１６０，１７０を水平に装着させ、出射装置１００によってユーザ５０の側方から画像光がハーフミラー１５０，１５１，１６０，１７０に向かって出射させたが、これに限らず、例えば、図１０に示すように、出射装置１００、ハーフミラー１５０をユーザ５０の斜め側方に装着させてもよい。この場合、走査線が斜めになることで、画像が斜めにつまり回転して表示されるため、入力画像を前記回転をキャンセルするように逆方向に回転させて補正することにより、正常な画像を表示させることができる。また、例えば、出射装置１００をユーザ５０の上方に装着させ、出射装置１００によってユーザ５０の上方から画像光がハーフミラー１５０，１５１，１６０，１７０に向かって出射させてもよい。この場合においては、ハーフミラー１５０などのユーザ５０に近い端部（例えば、上端部又は下端部）に保護部を設ければよい。
【００６５】
更にまた、上述した実施形態においては、保護部１５６，１５７，１５９，１６２のユーザ５０側の面が、ユーザ５０に対して平行な面としたが、ユーザ５０の眼を保護可能な形状であればこれに限らない。また、例えば、保護部１５６，１５７，１５９，１６２のユーザ５０とは逆側の面が、ユーザ５０に対して平行であってもなくても問題ない。
【００６６】
更にまた、上述した実施形態においては、２次元方向に走査させてハーフミラー１５０，１５１，１６０，１７０に対して出射させることで、ユーザの少なくとも一方の眼の網膜に画像を投影し、画像を表示する網膜走査型ディスプレイ１，９０，９２，９４に本発明を採用したが、これに限らず、画像光を出射可能であればよく、２次元方向に走査しないものであってもよい。
【００６７】
以上、本発明の実施の形態のいくつかを図面に基づいて詳細に説明したが、これらは例示であり、発明の開示の欄に記載の態様を始めとして、当業者の知識に基づいて種々の変形、改良を施した他の形態で本発明を実施することが可能である。
【図面の簡単な説明】
【００６８】
【図１】本実施形態における網膜走査型ディスプレイを示す外観図である。
【図２】本実施形態における網膜走査型ディスプレイを示す外観図である。
【図３】本実施形態における網膜走査型ディスプレイを示す説明図である。
【図４】本実施形態における網膜走査型ディスプレイを示す外観図である。
【図５】本実施形態における網膜走査型ディスプレイを示す外観図である。
【図６】本実施形態における網膜走査型ディスプレイを示す外観図である。
【図７】本実施形態における網膜走査型ディスプレイを示す外観図である。
【図８】本実施形態における網膜走査型ディスプレイを示す外観図である。
【図９】本実施形態における網膜走査型ディスプレイを示す外観図である。
【図１０】本実施形態における網膜走査型ディスプレイを示す外観図である。
【図１１】従来における網膜走査型ディスプレイを示す外観図である。
【図１２】従来における網膜走査型ディスプレイを示す外観図である。
【符号の説明】
【００６９】
１，９９  網膜走査型ディスプレイ
５０  ユーザ
１００，１０１  出射装置
１５０，１５１，１６０，１７０  ハーフミラー
１５４，１５５  ハーフミラー部
１５６，１５７，１５９，１６２  保護部
１５８  支持部
Ｚ１  外光
Ｚ２  画像光
【図１】
0004792970.tif 000002
【図２】
0004792970.tif 000003
【図３】
0004792970.tif 000004
【図４】
0004792970.tif 000005
【図５】
0004792970.tif 000006
【図６】
0004792970.tif 000007
【図７】
0004792970.tif 000008
【図８】
0004792970.tif 000009
【図９】
0004792970.tif 000010
【図１０】
0004792970.tif 000011
【図１１】
0004792970.tif 000012
【図１２】
0004792970.tif 000013